(57)【要約】【課題】この発明は、太陽光を遮断する遮光部材を自動開閉するための遮光部材制御装置に関する。【解決手段】本発明に係る遮光部材制御装置１は、太陽光を遮断するために住宅の屋内側の窓枠２の上部に取付けられた遮光部材３を自動開閉するためのものであって、太陽光を受けて該太陽光を電力に変換する太陽光パネル４と、該太陽光パネル４の光起電力により生ずる電力を蓄電する蓄電手段５と、該蓄電手段５により蓄電された電力により駆動し、前記遮光部材３を開閉自在な駆動手段６と、前記太陽光パネル３から生じる起電力が予め設定された閾値を越えたか否かを判断して前記駆動手段６を駆動させる制御手段７と、を具備している。【選択図】図１
2009225827.tif 000002
【特許請求の範囲】
【請求項１】
太陽光を遮断するために住宅の屋内側の窓枠付近に取付けられた遮光部材を、自動開閉するための遮光部材制御装置であって、
太陽光を受けて該太陽光を電力に変換する太陽光パネルと、
該太陽光パネルの光起電力により生ずる電力を蓄電する蓄電手段と、
該蓄電手段により蓄電された電力により駆動し、前記遮光部材を開閉自在な駆動手段と、
前記太陽光パネルから生じる電力が予め設定され、若しくは、周囲条件より算出された閾値を越えたか否かを判断して前記駆動手段を駆動させる制御手段と、
を具備することを特徴とする遮光部材制御装置。
【請求項２】
外気温を検知する外気温センサと、室温を検知する室温センサと、を具備し、
前記制御手段が、前記外気温センサで検知された外気温と前記室温センサで検知された室温との温度差、及び、前記太陽光パネルから生じる電力がそれぞれ予め設定され、若しくは、周囲条件より算出された閾値を越えたか否かを判断して前記駆動手段を駆動させることを特徴とする請求項１記載の遮光部材制御装置。
【請求項３】
請求項１又は２記載の遮光部材制御装置が住宅の屋内側に設けられたことを特徴とする遮光部材制御装置。
【請求項４】
請求項１乃至３記載の遮光部材制御装置が窓枠付近に取付けられたことを特徴とする窓枠構造。
【発明の詳細な説明】
【技術分野】
【０００１】
この発明は、太陽光を遮断する遮光部材を自動開閉するための遮光部材制御装置に関する。
【背景技術】
【０００２】
従来、例えば夏には冷房効率を向上するために、住宅の窓のカーテンやブラインド等の遮光部材を閉め、太陽光の室内への入射を遮断して室温の上昇を抑制したり、冬には暖房効率を向上するために、前記遮光部材を開け、太陽光を室内に入射させ室温を上昇させる等の工夫がなされてきた。しかし、前述のように遮光部材を開閉するためには住人自らが行う必要があり、日中仕事等で外出する場合に該遮光部材の開閉を行うことが困難であるばかりでなく、在宅している場合であっても遮光部材の開閉には手間がかかっていた。これらの問題を解決するために、以下のような日照センサが考案されている。
【０００３】
この日照センサは、図７に示すように、太陽光が照射される受熱板１００と、該受熱板１００の温度を検出する第１の温度検出素子１０１と、周囲温度を検出する第２の温度検出素子１０２とを本体１０３に設ける。制御回路１０４は、第１の温度検出素子１０１および第２の温度検出素子１０２により検出された温度の関係に基づいて負荷１０５を制御する。受熱板１００の上方には太陽の高度に応じて受熱板１００への太陽光の入射量を制限するひさし１０６を突設する。これにより、室内への太陽光の入射量と周囲温度とに応じて負荷１０５を制御できるようにし、カーテン等の遮光部材を自動開閉を適切に制御するものである。（例えば、特許文献１）。
【０００４】
【特許文献１】特開平６−１３７９４６号公報
【発明の開示】
【発明が解決しようとする課題】
【０００５】
しかし、前述の日照センサを駆動させるためには住宅の電源を使用するため、冷暖房効率は向上できるものの、住宅の電気配線から電源が供給されていることから待機電力が必要なるという問題がある。
【０００６】
この発明は上記のような種々の課題を解決することを目的としてなされたものであって、住宅の電気配線から独立した太陽光発電により電力を得て、太陽光を遮断する遮光部材を自動開閉するための遮光部材制御装置に関する。
【課題を解決するための手段】
【０００７】
上記目的を達成するために、請求項１記載の遮光部材制御装置は、太陽光を遮断するために住宅の屋内側の窓枠付近に取付けられた遮光部材を、自動開閉するための遮光部材制御装置であって、太陽光を受けて該太陽光を電力に変換する太陽光パネルと、該太陽光パネルの光起電力により生ずる電力を蓄電する蓄電手段と、該蓄電手段により蓄電された電力により駆動し、前記遮光部材を開閉自在な駆動手段と、前記太陽光パネルから生じる電力が予め設定され、若しくは、周囲条件より算出された閾値を越えたか否かを判断して前記駆動手段を駆動させる制御手段と、を具備することを特徴としている。
【０００８】
請求項２記載の遮光部材制御装置は、外気温を検知する外気温センサと、室温を検知する室温センサと、を具備し、前記制御手段が、前記外気温センサで検知された外気温と前記室温センサで検知された室温との温度差、及び、前記太陽光パネルから生じる電力がそれぞれ予め設定され、若しくは、周囲条件より算出された閾値を越えたか否かを判断して前記駆動手段を駆動させることを特徴としている。
【０００９】
請求項３記載の遮光部材制御装置は、請求項１又は２記載の遮光部材制御装置が住宅の屋内側に設けられたことを特徴としている。
【００１０】
請求項４記載の窓枠構造は、請求項１乃至３記載の遮光部材制御装置が窓枠付近に取付けられたことを特徴としている。
【発明の効果】
【００１１】
請求項１記載の遮光部材制御装置によれば、太陽光を受けて該太陽光を電力に変換する太陽光パネルを具備している。これにより、住宅の電気配線から独立した電源を確保することができるので、電気配線が煩雑になることがなく施工が容易であり、また、待機電力を太陽光パネルからの電力で補うことができるので省エネルギー化に大きく貢献することができる。
【００１２】
また、太陽光パネルの光起電力により生ずる電力を蓄電する蓄電手段を具備している。これにより、太陽が沈み太陽光パネルからの電力を得ることができない夜や、太陽が雲に遮られ太陽光パネルからの電力を多く得ることができない曇りの日等にも、蓄電手段に蓄電された電力を使用することによって、絶えず遮光部材制御装置を駆動することができる。
【００１３】
そして、蓄電手段により蓄電された電力により駆動し、前記遮光部材を開閉自在な駆動手段と、前記太陽光パネルから生じる電力が予め設定され、若しくは、周囲条件より算出された閾値を越えたか否かを判断して前記駆動手段を駆動させる制御手段と、を具備している。これにより、太陽光パネルが太陽光を受けて電力を発生させると共に、この電力をもって日照量の判断を行うことができ、例えば、夏には、太陽光パネルによる電力が大きい場合には日照量が多いと判断して遮光部材を閉め、室内への太陽光の入射を遮り室温の上昇を抑制し、冬には、太陽光パネルによる電力が大きい場合には日照量が多いと判断して遮光部材を開け、室内へ太陽光を入射させ室温を上昇させる。そのため、冷暖房効率を向上することができると共に、太陽光パネルが、日照量センサも兼ねるので、遮光部材制御装置をコンパクトにすることができる。
【００１４】
そして、住人が留守中にも遮光部材が自動で開閉するので、外部の通行人等からは、あたかも住人が在宅であるかのように装うことができ、防犯対策の一環としても貢献することができる。
【００１５】
請求項２記載の遮光部材制御装置によれば、外気温を検知する外気温センサと、室温を検知する室温センサと、を具備し、前記制御手段が、前記外気温センサで検知された外気温と前記室温センサで検知された室温との温度差、及び、前記太陽光パネルから生じる電力がそれぞれ予め設定され、若しくは、周囲条件より算出された閾値を越えたか否かを判断して前記駆動手段を駆動させる。これにより、複数の要素で遮光部材の開閉を制御するので冷暖房効率をより向上させることができる。
【００１６】
請求項３記載の遮光部材制御装置によれば、前請求項１又は２記載の遮光部材制御装置が住宅の屋内側に設けられている。これにより、太陽光パネル等の配線を室内から外部に引出す際の手間を省略することができ、遮光部材制御装置の取付けを容易に行うことができる。
【００１７】
請求項４記載の窓枠構造によれば、請求項１乃至３記載の遮光部材制御装置が窓枠付近に取付けられている。これにより、本発明の窓枠構造を、住宅やマンション等に取付けることで、省エネルギー化に貢献することができる。
【発明を実施するための最良の形態】
【００１８】
この発明における遮光部材制御装置の最良の実施形態について、以下に説明する。本発明に係る遮光部材制御装置１は、図１に示すように、太陽光を遮断するために住宅の屋内側の窓枠２の上部に取付けられた遮光部材３を自動開閉するためのものである。そして、図１、図２に示すように、太陽光を受けて該太陽光を電力に変換する太陽光パネル４と、該太陽光パネル４の光起電力により生ずる電力を蓄電する蓄電手段５と、該蓄電手段５により蓄電された電力により駆動し、前記遮光部材３を開閉自在な駆動手段６と、前記太陽光パネル３から生じる電力が予め設定され、若しくは、周囲条件より算出された閾値を越えたか否かを判断して前記駆動手段６を駆動させる制御手段７と、を具備している。
【００１９】
前記遮光部材３は、住宅の窓枠２の屋内側上部に取付けられ、太陽光の室内への入射を遮るための両開き、若しくは片開きカーテン、ブラインド、襖、簾等である。そして、本実施形態では、遮光部材３として片開きのカーテンが使用され、該カーテンは、図１に示すように、窓枠２の屋内側の上部に設けられた略直方体形状のカーテンボックス８内のカバー８ａに吊下げられている。
【００２０】
前記太陽光パネル４は、光が照射されることにより電力を生じる光起電力効果を利用した周知の太陽光パネル４を使用することができ、太陽光の光エネルギーを電力に変換することが可能である。これにより、例えば太陽光パネル４から発生する電流値と日照量とは比例関係にあるので、太陽光パネル４から蓄電手段５へ流れる当該電流値を測定することでこれを日照量に変換するようにしてもよい。そして、太陽光パネル４は、駆動手段６が遮光部材３を開閉自在とする際に必要とされる電力を得ることができる程度の大きさに形成する必要があり、また、設置した際に邪魔にならないように、例えば３００ｍｍ×４００ｍｍ程度の大きさに形成されていることが好ましい。
【００２１】
また、太陽光パネル４は、例えば図１、図３に示すように、開閉自在な窓Ｗ１の上部に設けられ開閉することのない採光用の小窓Ｗ２等の屋内側面に取付けられることが好ましく、これにより、窓Ｗ１を開閉する際にも該太陽光パネル４が邪魔になることがない。また、屋外に庇や塀等が設けられている際には、これらに太陽光が遮蔽されて太陽光パネル４の発電量が小さくならないように留意する必要がある。尚、本実施形態においては、太陽光パネル４を室内に設けたが、該太陽光パネル４を屋外に設けてもよく、その際には、配線Ｈを窓Ｗ１や小窓Ｗ２のサッシＳ等を貫通させ、小窓Ｗ２の屋外側面、庇、住宅の外壁等に該太陽光パネル４を設置してもよい。
【００２２】
前記蓄電手段５は、駆動手段６の駆動部９に内蔵され、太陽光パネル４の光起電力により生ずる電力を蓄電するためのものであり、リチウムイオン二次電池等の小型の二次電池を好適に使用することができる。
【００２３】
前記駆動手段６は、蓄電手段５に蓄電された電力により駆動し、遮光部材３を開閉自在とするものであり、内部に周知のモーター等を内部に有（不図示）する駆動部９を具備している。また、駆動手段６は、図１、図３に示すように、外部から視認することができないようにカーテンボックス８内に設けられており、該カーテンボックス８、及びその上面に長手方向に設けられたカバー８ａ等と一体となるように形成されている。そして、駆動手段６は、カーテンボックス８の長手方向の一端側内部に取付けられた駆動部９と、カバー８ａの長手方向の一端側内部において、該駆動部９の上部に設けられこれによって駆動されるプーリー１０と、該カバー８ａの他端側内部に設けられた回転自在なプーリー１１と、該プーリー１０と該プーリー１１とに巻回されて、カバー８ａの長手方向に亘って、遮光部材３の他端部が該プーリー１０と該プーリー１１との間を往復して該遮光部材３の開閉を行うことができるように、これらの間に掛け渡されたワイヤ１２を具備している。
【００２４】
また、図１、図３に示すように、ワイヤ１２には所定間隔でリング状の係止具１３ａが設けられており、遮光部材３の上端部に所定間隔で設けられた鉤状の引掛け具１３ｂが該係止具１３ａに引掛けられ、遮光部材３が吊下げられる。尚、遮光部材３の一端側の引掛け具１３ｃはカバー８ａ等に固定されており、ワイヤ１２が動いた場合にも遮光部材３の一端部が動くことがない。また、ワイヤ１２に設けられた係止具１３ａのうち、他端側の係止具１３ｄはワイヤ１２に固定されているので、該他端側の係止具１３ｄに引掛けられた遮光部材３の他端部は、該ワイヤ１２が動いた場合にはこれと連動して動く。
【００２５】
そのため、駆動部９が駆動しプーリー１０がＡ方向に回転すると、ワイヤ１２に固定された係止具１３ｄと連結された遮光部材３の他端部がＢ方向に移動し、折畳まれた遮光部材３がこれに引張られて広げられるように、該遮光部材３が閉められる。この際には、プーリー１１はワイヤ１２でプーリー１０と連結されているので、該プーリー１１は該プーリー１０と連動してＣ方向に回転する。この際には、遮光部材３の一端側の引掛け具１３ｃは固定されているので、該遮光部材３の一端部が開くことがない。また、駆動部９が駆動しプーリーがＤ方向に回転すると、ワイヤ１２に固定された係止具１３ｄと連結された遮光部材３の他端部がＥ方向に移動し、広げられた遮光部材３が折畳まれるようにして、該遮光部材３が開けられる。この際には、プーリー１１はプーリー１０と連動してＦ方向に回転する。
【００２６】
一方、駆動部９の内部には、前記モーター（不図示）の回転をプーリ１０に伝達するためのクラッチ（不図示）等が設けられており、このクラッチを接続、若しくは、切るためのスイッチ１４が、図１、図３に示すように、住宅の内壁１５に設けられている。そのため、スイッチ１４をＯＮの状態している場合にはクラッチが接続され、モーターの回転をプーリー１０に伝達することができ、スイッチ１４をＯＦＦの状態にした場合にはクラッチが切れるため、モーターの回転がプーリー１０に伝達されることがなく、遮光部材３を手動で開閉することができる。また、この実施形態における遮光部材３の開閉を行う駆動手段６は一例であり、この実施形態に限定されるものではなくその他の構成でもよい。
【００２７】
そして、以上のような太陽光パネル３、蓄電手段４、駆動手段５を具備する、図１、図２に示すような、第１の実施形態に係る遮光部材制御装置１の制御手段７は、駆動手段６の駆動部９に内蔵され、太陽光パネル４から生じる電力に応じて駆動手段６を駆動させて遮光部材３の開閉を行うものであり、以下のような制御を行う。
【００２８】
制御手段７は、日付、及び時間を判断するクロックが内蔵されており、該クロックから出力される月によって季節を判断する。例えば、３月〜５月は春、６月〜８月は夏、９月〜１１月は秋、１２月〜２月は冬であると判断する。
【００２９】
そして、太陽光パネル４から生じる電力が、各季節ごとに予め設定された所定の閾値Ｗ１〜Ｗ３を越えたか否かを判断して遮光部材３の開閉を行う。
ここで、季節を冬と判断した場合には、暖房効率を向上させるため、できるだけ太陽光を室内へ入射させ室温を上昇させると同時に、夜間の熱の放熱を避けるために遮光部材３を閉める。すなわち、太陽光パネル４の電力Ｗが予め設定された所定の閾値Ｗ１を超えた場合（Ｗ１＜Ｗ）には遮光部材３を開け、該閾値Ｗ１を下回った場合（Ｗ１≧Ｗ）には遮光部材３を閉める。
【００３０】
また、季節を夏と判断した場合には、冷房効率を向上させるため、できるだけ太陽光の室内への入射を遮り室温の上昇を抑制する。すなわち、太陽光パネル４の電力Ｗが予め設定された所定の閾値Ｗ２を超えた場合（Ｗ２＜Ｗ）には遮光部材３を閉め、該閾値Ｗ２を下回った場合（Ｗ２≧Ｗ）には遮光部材３を開ける。
【００３１】
また、本実施形態においては、季節を春や秋と判断した場合には、前述の冬と同様に太陽光パネル４の電力Ｗが予め設定された所定の閾値Ｗ３を超えた場合（Ｗ３＜Ｗ）には遮光部材３を開け、該閾値Ｗ３を下回った場合（Ｗ３≧Ｗ）には遮光部材３を閉めるように設定している。しかし、地域によって気温等が異なるので、夏と判断した場合のように、太陽光パネル４の電力Ｗが予め設定された所定の閾値Ｗ３を超えた場合（Ｗ３＜Ｗ）には遮光部材３を閉め、該閾値Ｗ３を下回った場合（Ｗ３≧Ｗ）には遮光部材３を開けてもよい。
【００３２】
これにより、冬には太陽光を室内に積極的に採り入れ室温を上昇させ、夏には太陽光パネル４の電力が大きくなる日中の太陽光が室内へ入射するのを遮り室温の上昇を抑制し、さらに、春と秋では太陽光を採り入れ室温を快適な温度にすることができる。
【００３３】
第２の実施形態に係る遮光部材制御装置１は、図３、図４に示すように、太陽光パネル３、蓄電手段４、駆動手段５に加えて、住宅の小窓Ｗ２の屋内側面に設置され外気温を間接的に検知する外気温センサ１６と、住宅の屋内側に内壁１５等に設置され室温を検知する室温センサ１７と、を具備している。
【００３４】
尚、本実施形態においては、外気温センサ１６を室内に設けたが、外気温を直接検知するために該外気温センサ１６を屋外に設けてもよく、その際には、配線Ｈを窓Ｗ１や小窓Ｗ２のサッシＳ等を貫通させ、小窓Ｗ２の屋外側面、庇、住宅の外壁等に該外気温センサ１６を設置してもよい。しかし、前述のように外気温を間接的に検知するために、外気温センサ１６を住宅の小窓Ｗ２の屋内側面に設置し、外気温の変化による小窓Ｗ２からの輻射熱の変化を測定しても、外気温を直接検知するのと同等の効果を得ることができる。
【００３５】
そして、制御手段７には、第１の実施形態に係る遮光部材制御装置１の制御装置７と同様に日付、及び時間を判断するクロックが内蔵されており、該クロックから出力される月によって季節を判断する。例えば、３月〜５月は春、６月〜８月は夏、９月〜１１月は秋、１２月〜２月は冬であると判断する。
【００３６】
そして、太陽光パネル４から生じる電力が、各季節ごとに予め設定された所定の閾値Ｗ４〜Ｗ６を越えたか否かを判断し、さらに、室温ＴＩと外気温ＴＯとの差Ｔ（Ｔ＝ＴＩ−ＴＯ）が各季節ごとに予め設定された所定の閾値Ｔ１〜Ｔ３を越えたか否かを判断して遮光部材３の開閉を行う。
ここで、季節を冬と判断した場合には、暖房効率を向上させるため、できるだけ太陽光を室内へ入射させ室温を上昇させる。すなわち、太陽光パネル４の電力Ｗが予め設定された所定の閾値Ｗ４を超えた場合（Ｗ４＜Ｗ）において、さらに、室温と外気温との差Ｔが予め設定された所定の閾値Ｔ１を下回った場合（Ｔ１＞Ｔ）には遮光部材３を開ける。そして、電力Ｗが閾値Ｗ４を下回った場合（Ｗ４≧Ｗ）、若しくは、室温と外気温との差Ｔが閾値Ｔ１を超えた場合（Ｔ１≦Ｔ）には遮光部材３を閉める。これは、外気温が低く室温が高いと、外気温と室温との間に大きな差があり、この場合には外気温に冷やされた窓ガラス等がその輻射熱で室温を下げる可能性があるためである。
【００３７】
また、季節を夏と判断した場合には、冷房効率を向上させるため、できるだけ太陽光の室内への入射を遮り室温の上昇を抑制する。すなわち、太陽光パネル４の電力Ｗが予め設定された所定の閾値Ｗ５を超えた場合（Ｗ５＜Ｗ）には、室温と外気温との差Ｔの値に関らず遮光部材３を閉める。そして、電力Ｗが閾値Ｗ５を下回った場合（Ｗ５≧Ｗ）において、さらに、室温と外気温との差Ｔが閾値Ｔ２を超えた場合（Ｔ２≦Ｔ）には遮光部材３を開ける。これは、電力Ｗが低下しても、室内で冷房等を用いている場合に、室温が低く外気温が高いと、室温と外気温との間に大きな差があり、この場合には外気温に暖められた窓ガラス等がその輻射熱で室温を上げる可能性があるためである。
【００３８】
また、本実施形態においては、季節を春や秋と判断した場合には、前述の冬と同様に太陽光パネル４の電力Ｗが予め設定された所定の閾値Ｗ６を超えた場合（Ｗ６＜Ｗ）において、さらに、室温と外気温との差Ｔが予め設定された所定の閾値Ｔ３を下回った場合（Ｔ３＞Ｔ）には遮光部材３を開ける。そして、電力Ｗが閾値Ｗ６を下回った場合（Ｗ６≧Ｗ）、若しくは、室温と外気温との差Ｔが閾値Ｔ３を超えた場合（Ｔ３≦Ｔ）には遮光部材３を閉める。
【００３９】
しかし、地域によって気温が異なるので、夏と判断した場合のように、太陽光パネル４の電力Ｗが予め設定された所定の閾値Ｗ６を超えた場合（Ｗ６＜Ｗ）には、室温と外気温との差Ｔの値に関らず遮光部材３を閉める。そして、電力Ｗが閾値Ｗ６を下回った場合（Ｗ６≧Ｗ）において、さらに、室温と外気温との差Ｔが閾値Ｔ３を超えた場合（Ｔ３≦Ｔ）には遮光部材３を開けるように設定してもよい。
【００４０】
これにより、冬には太陽光を室内に積極的に採り入れつつ、外気温が室温よりも低く、窓からの輻射熱によって室温が上昇しない場合等には、遮光部材３を閉めることができる。そして、夏には太陽光パネル４の電力が小さく日照量が少ない場合においても、外気温が室温よりも高く、窓からの輻射熱によって室温が極度に上昇する場合等には、遮光部材３を閉めることができる。
【００４１】
また、これらの閾値Ｗ１〜Ｗ６の値は日当たりのよさや、その土地の平均気温、太陽光パネル４の大きさ等によって適宜変更することができ、さらに閾値Ｔ１〜Ｔ３の値も日当たりのよさや、その土地の平均気温によって適宜変更することができる。そして、閾値Ｗ３、Ｗ６、及び閾値Ｔ３は春と秋とで異なる値とすることができるのは勿論である。そして、このような閾値Ｗ１〜Ｗ６や閾値閾値Ｔ１〜Ｔ３は、気温、日照量、湿度、地域、時間等の周囲条件により算出され閾値、若しくは、使用者自らが予め設定した閾値を適宜使用することができる。
【００４２】
以上のような制御手段７の制御方法は一例であり、地域や使用者の目的に応じて適宜変更することが可能であり、また、第１、及び第２の実施形態に係る遮光部材制御装置１の制御手段７は、内蔵するクロックによって予め指定された所定時間に駆動手段６を駆動させ遮光部材３の開閉を行うこともできる。
【００４３】
また、小窓Ｗ２の室内側面に屋外側に向けて屋外の照度を検知するための屋外照度センサ、及び、内壁１５に室内側に向けて室内の照度を測定するための室内照度センサを設けてもよい。これにより、室内が屋外よりも明るいと制御手段７が判断した場合には、既述の条件に関わらず、遮光部材３を閉めることで屋外から室内への視線を遮断することができる。尚、照度センサとして太陽光パネル３を使用し、照度を該太陽光パネル３の電力をもって判断することができるのは勿論であり、この場合には、図１、図３の外壁１５にさらに太陽光パネル３を設ければよい。
【００４４】
さらに、第１、及び第２の実施形態に係る遮光部材制御装置１の制御手段７は、無線方式の遠隔操作によって遮光部材３の開閉を行う指令手段と、該指令手段からの指令信号を受信し、その受信した指令信号を制御手段７へ伝達する受信手段と、を具備している。これにより、指令手段からの指令信号を受信手段が受信し、制御手段７に伝達された指令信号に基づき、該制御手段７が駆動手段６を駆動させて遮光部材３の開閉を行うことができる。
【００４５】
また、制御手段７の内部に気圧計を内蔵しておけば、例えば過去６時間の気圧の推移から天気を予測して、この予測が晴れである場合にのみ駆動手段６を駆動させ遮光部材３の開閉を行うこともできる。尚、この天気予報は、制御手段７に受信手段を備えておけば、外部から天気情報を受信し制御手段７がその天気情報に基づき駆動手段６を駆動させ遮光部材３の開閉を行うこともできる。
【００４６】
以上のように遮光部材３としてカーテンを使用した場合には、遮光部材制御装置１をカーテンボックス８と一体として、室内側の窓枠２の上部に取付けたが、該遮光部材制御装置１の位置はその他の位置でもよいのは勿論である。そして、以上のような遮光部材制御装置１を窓枠付近に取付け窓枠構造とし、当該窓枠構造をマンションや住宅等で使用することで、冷暖房効率を向上させると共に、待機電源を太陽光パネル４による電力を使用することができるので省エネルギー化に大きく貢献することができ、また、留守中の防犯対策としても使用することができる。
【産業上の利用可能性】
【００４７】
本発明に係る遮蔽部材制御装置１は、住宅だけでなく、ホテル、学校、病院等の施設でも利用可である。
【図面の簡単な説明】
【００４８】
【図１】第１の実施形態に係る遮光部材制御装置が取付けられた遮光部材の全体斜視図
【図２】第１の実施形態に係る遮光部材制御装置の概略図
【図３】第２の実施形態に係る遮光部材制御装置が取付けられた遮光部材の全体斜視図
【図４】第２の実施形態に係る遮光部材制御装置の概略図
【図５】遮光部材制御装置が取付けられた遮光部材の他の全体斜視図
【図６】図５に示すカーテンボックスのＡ−Ａ断面図
【図７】従来技術を示す図
【符号の説明】
【００４９】
１        遮光部材制御装置
２        窓枠
３        遮光部材
４        太陽光パネル
５        蓄電手段
６        駆動手段
７        制御手段
１６      外気温センサ
１７      室温センサ
【図１】
2009225827.tif 000003
【図２】
2009225827.tif 000004
【図３】
2009225827.tif 000005
【図４】
2009225827.tif 000006
【図５】
2009225827.tif 000007
【図６】
2009225827.tif 000008
【図７】
2009225827.tif 000009